(57)【要約】【課題】本発明の課題は、作業者が材料を加工する際に、狙いとするケガキ線に対しての切断精度をより向上させることができ、また暗所においての作業性を向上させることができる電動切断機を安価に提供することである。【解決手段】電動機を内蔵した本体と、該本体に回転可能に保持される鋸刃と、該鋸刃の外周の一部を覆う形状をしたソーカバーと、前記本体下部に回動可能に取付けられ、切断作業時の案内部材となるベースとを備えた電動切断機において、前記ベース端部に設けられたガイドピース付近を照射する照明装置を設けた。【選択図】図１
2004284013.tif 000002
【特許請求の範囲】
【請求項１】
電動機を内蔵した本体と、該本体に回転可能に保持される鋸刃と、該鋸刃の外周の一部を覆う形状をしたソーカバーと、前記本体下部に回動可能に取付けられ、切断作業時の案内部材となるベースとを備えた電動切断機において、前記ベース端部に設けられたガイドピース付近を照射する照明装置を設けたことを特徴とする電動切断機。
【請求項２】
請求項１において前記ガイドピースは、前記ベース上で前記鋸刃の回転軸方向に摺動可能に取り付けられていることを特徴とする電動切断機。
【発明の詳細な説明】
【技術分野】
【０００１】
本発明は、切断方向前方を照射する照明装置を備えた電動切断機に関するものである。
【背景技術】
【０００２】
従来の電動切断機の一例を携帯用電気丸鋸を例に取り説明する。
【０００３】
従来の携帯用電気丸鋸には、図１１に示すようにベース６の切断方向前方端部（図の右方向端部）に刃具である鋸刃５の回転方向延長線と一致する案内面９ａを有するガイドピース９が設けられている。切断作業時にはこのガイドピース９の案内面９ａを、被切断材上に描かれたケガキ線８に合わせることで、目的とする位置での切断が可能となるようにしている。
【０００４】
上記したガイドピース５は、切断作業を行う上では図１２に示すように切断方向における幅１５が短いよりも、図１３に示すように幅１５が長い方が好ましい。なぜならば図１３に示すように幅１５が長い方が鋸刃５の進行方向をよりケガキ線１４に対し安定して平行に保ち易くなり、結果として切断精度を向上させることが可能となるからである。しかし設置スペースの問題等から、実際にはガイドピース９の幅１５は小さくせざるを得ない。
【０００５】
携帯用電気丸鋸によっては、鋸刃５の被切断材上の回転方向延長線上にレーザー光線を放射するレーザー発振器を設け、レーザー光線をより長い範囲でケガキ線１４に合わせることで安定した切断を行うことが可能となるようにしたものがある。
【発明の開示】
【発明が解決しようとする課題】
【０００６】
上記した従来の電動切断機では、刃具である鋸刃５の延長線上にレーザー光線を放射することができるレーザー発振器を設けることにより、被切断材上に描かれたケガキ線８に沿った切断を比較的正確に行うことができるようにしたものであり、また、照明の設置されていない屋内や日没後の作業場等の暗所での切断作業時においては、被切断材上の鋸刃５の回転方向延長線上をレーザー光線により照らし出すことができるものであるためレーザー発振器を持たない従来の電動切断機に比べれば切断位置の視認性を向上させることができるものではあるが、レーザー光線は指向性のあるごく狭い範疇での光源であり、広範囲を照射することができるものではなかった。
【０００７】
暗所における切断作業時の作業性を向上させる目的から鋸刃５の切断部付近、鋸刃５の切断方向前方付近を照射する照明装置を装備させた携帯用電気丸鋸もあるが、この場合の照明装置は当然ながらレーザー光線のような働きは成し得ない。従ってこれら両者の持つ性能を実現したい場合には両者の装置を設けるしか方法がなかった。しかし両者の装置を採用することは、電動切断機が非常に高価となってしまうと共に、電動切断機が大型化してまい、また両者の装置の駆動スイッチが２個以上設けられることにより装置を駆動させる作業についても煩雑になり操作性が悪いという欠点があった。
【０００８】
本発明の目的は、上記欠点を解消し、刃具の切断部付近又は刃具の切断方向前方付近を照射する照明機能と、被切断材上に刃具の延長線上に位置するマーカーを表示する切断案内機能を併せ持ち、安価で作業性の良い電動切断機を提供することである。
【課題を解決するための手段】
【０００９】
本発明の特徴は、電動機を内蔵した本体と、該本体に回転可能に保持される鋸刃と、該鋸刃の外周の一部を覆う形状をしたソーカバーと、前記本体下部に回動可能に取付けられ、切断作業時の案内部材となるベースとを備えた電動切断機において、前記ベース端部に設けられたガイドピース付近を照射する照明装置を設けたことにある。
【発明の効果】
【００１０】
本発明によれば、安価で作業性の良い電動切断機を提供することができる。
【発明を実施するための最良の形態】
【００１１】
本発明電動切断機の一実施形態を携帯用電気丸鋸を例に採り、以下本発明を図１〜図５を用いて説明する。
【００１２】
図に示す携帯用電気丸鋸は、電動機を内蔵した本体１と、本体１に回転可能に保持される鋸刃５と、鋸刃５外周の一部を覆う形状をしたソーカバー１ａと、本体１下部に回動可能に取付けられ、鋸刃５の一部を下方に突出させる図示しない穴を有し、切断作業時の案内部材となるベース６とを備えた構成をしている。
【００１３】
図１に示すようにソーカバー１ａの切断方向前方側（図の右側）には、光源を発光するダイオードや電球等のライト２ａを有する照明装置２が設けられている。照明装置２には図示しないが電動機を駆動するための電源と同一の電源もしくは照明装置２のための例えば乾電池等からなる電源が供給され、これによりライト２ａは駆動し、鋸刃５の切断部付近または鋸刃５の切断方向前方側、ベース６の切断方向前方端部付近（図１の右方向）を広範囲にわたって照射する機能を有する。
【００１４】
なお、図２に示すベース６の切断方向前方端部には鋸刃５の延長線上に位置する案内面９ａを有するガイドピース９が設けられており、このガイドピース９の案内面９ａに被切断材上に描かれたケガキ線を合わせることにより、ケガキ線に沿った切断作業を行うことができるようになる。
【００１５】
図１に示す携帯用電気丸鋸の状態では、ソーカバー１ａに設けられた照明装置２にはライト２ａの前方（光源を発する側）に円筒面レンズ３、スリット部材４が取付けられており、円筒面レンズ３とライト２ａとの間にスリット部材４が位置する位置関係となっている。
【００１６】
円筒面レンズ３とスリット部材４とは接着等により一体となっており、スリット部材４の先端に係止部４ｃを有した脚部４ｂを照明装置２の外壁に設けられた係止部２ｂに挿入することにより、照明装置２に円筒面レンズ３及びスリット部材４が着脱可能となっている。図に示すようにスリット部材４のライト２ａと円筒面レンズ３との間に位置する個所にはスリット４ａが設けられており、ライト２ａから発光された光源はスリット４ａによって図５で示す上下方向（鋸刃５の側面に直交する方向）の範囲が限定された状態で円筒面レンズ３に向かい、円筒面レンズ３はスリット４ａを介した光源を収束して線状に変換し、図２に示すように被切断材１０上にマーカーである線１１を照射する構成となっている。
【００１７】
なお、図1に示すように円筒面レンズ３により線状に変換された光源は、鋸刃５から切断方向前方側に離れた被切断材１０上の鋸刃５の延長線上に線１１となって表示される。このため、線１１は鋸刃５の延長線及びベース６端部に設けられたガイドピース９の案内面９ａと一致し、ガイドピース９の案内面９ａと共に切断作業時の案内の機能として働く。即ち、スリット部材４及び円筒面レンズ３により変換され、被切断材１０上に表示された線１１を被切断材１０上に描かれたケガキ線に合わせることにより、ケガキ線に沿った切断作業を行うことができるようになる。
【００１８】
なお、図１に示した状態から図３に示すように光源の変換手段であるスリット部材４及び円筒面レンズ３を取外すと、照明装置２のライト２ａの光源は、鋸刃５の切断部付近または鋸刃５の切断方向前方側、ベース６の切断方向前方端部付近（図３の右方向）、ベース６のガイドピース９付近を広範囲にわたって照射し、これにより照明の設置されていない屋内や日没後の作業場等の暗所での切断作業時における作業性を向上させることができるようになる。
【００１９】
なお、照明装置２のライト２ａはソーカバー１ａの切断方向前方で、図２に示すようにライト２ａの光源の中心が鋸刃５の中心線上に位置するように設けられている。
【００２０】
また、図示しないが上記した照明装置２は、照明装置２の駆動のためのスイッチにより駆動する構成、または鋸刃５の駆動スイッチと連動して駆動する構成となっている。なお、携帯用電気丸鋸については鋸刃５の駆動スイッチをＯＦＦ状態でロックするＯＦＦロックスイッチが設けられた構成のものもあるが、この構成の場合にはＯＦＦロックスイッチの操作と連動して照明装置２が駆動し、鋸刃５の駆動スイッチがＯＦＦされた際に照明装置２がＯＦＦする構成とすることなどが可能である。
【００２１】
上記したような構成とすることによって、作業者は切断部近傍を広範囲にわたって照射する照明機能を利用するか、または被切断材１０上に鋸刃５の延長線上に位置する線１１を表示する切断案内機能を利用するかを選択して利用することができる。光源を発生する１つの装置を設けたことにより、２つの機能を併せ持つ電動切断機を提供することができるようになるため、コスト高及び大型化を抑制することができると共に該機能を駆動させるための駆動スイッチを複数個設ける必要がなく作業性の低下についても抑制することができる。
【００２２】
図６に本発明電動切断機の他の実施形態を示す。
【００２３】
上記した実施形態では、照明装置２にライト２ａの光源を線状に変換する円筒面レンズ３及びスリット部材４を着脱可能に設けた構成としたが、本実施形態ではレンズ３及びスリット部材４を図に示すように照明装置２と一体にかつ回動可能に設けた構成である。
【００２４】
スリット部材４には上記実施形態と同様に係止部４ｃを有する脚部４ｂが設けられており、係止部４ｂは照明装置２の外壁に設けられた係止部２ｂと係合することにより、スリット部材４及び円筒面レンズ３は照明装置２に固定されライト２ａの光源を線状に変換し被切断材１０上に線１１を表示することができるようになっている。
【００２５】
図に示すようにスリット部材４には鋸刃５の回転軸方向に延びる穴部４ｄが設けられており、この穴部４ｄは照明装置２に設けられた同様に鋸刃５の回転軸方向に延びるピン２ｃと係合しており、ピン２ｃを支点としてスリット部材４、スリット部材４に固定された円筒面レンズ３は回転可能となっている。
【００２６】
図６に示す状態は、スリット部材４及び円筒面レンズ３を上方に回動させ、ライト２ａの光源を変換せずにライト２ａによって切断部付近を広範囲にわたって照射することができるようにした状態を示す。
【００２７】
この状態から、スリット部材４及び円筒面レンズ３を下方に回動させ、円筒面レンズ３がライト２の光源を光線に変換するようにすると、図２と同様に被切断材１０上の鋸刃５の回転方向延長線上に線１１を照射することができる。この構成とした場合には、スリット部材４及び円筒面レンズ３が常に本体１に付属されているため、変換手段であるスリット部材４及び円筒面レンズ３の紛失を防止することができる。
【００２８】
なお、図示しないが図６に示すようにスリット部材４及び円筒面レンズ３を、ライト２ａの光源を変換しない位置に回動させた状態で、スリット部材４及び円筒面レンズ３の回動位置を係止する手段を設けることが望ましい。
【００２９】
図７は照明装置２をソーカバー１ａに回動可能に設けた構成とした本発明電動切断機の他の実施形態を示す。
【００３０】
図に示すように変換手段である円筒面レンズ３及びスリット部材４が着脱可能に設けられた照明装置２は、鋸刃５の回転軸方向に延びる穴部２ｄを有しており、この穴部２ｄがソーカバー１ａ上に設けられ同様に鋸刃５の回転軸方向に延びるピン１ｃと係合しており、これにより照明装置２がソーカバー１ａ上に取付けられた構成となっている。
【００３１】
照明装置２はピン１ｃを支点として回動可能となっており、これにより鋸刃５から切断方向前方側に離れた個所を照射することができると共に被切断材１０上に照射される線１１の焦点を合わせることが可能となるので、線１１がぼやける等の不具合が生じることを抑制することができるようになると共に、切断方向前方の任意の個所を照射することができるようになる。
【００３２】
また、通常の携帯用電気丸鋸は、本体１に対してベース６を図示矢印Ｄ方向に回動させてベース６からの鋸刃５の突出量を可変させる、即ち切断深さ調整を行うことができる構成となっており、このように切断深さを調整させた際には、照明装置２による照射もしくは円筒面レンズ３により変換された線１１による照射位置が鋸刃５側に移動してしまうものであるが、図の矢印Ｅ方向に照明装置２を回動させれば、鋸刃５から離れた切断方向前方付近を照射することができるようになる。
【００３３】
なお、図１〜図７に示す実施形態では、変換手段である円筒面レンズ３及びスリット部材４によりライト２ａの光源を線状に変換するとしたが、照明装置２に着脱可能な変換手段を図８に示すように凸型レンズ３で構成し、ライト２ａの光源を収束して点状に変換して被切断材１０上の鋸刃５の回転方向延長線上に位置する点１２を照射するものであっても良い。
【００３４】
また、変換手段をレンズ３として説明したが、変換手段は照明装置２の光源を変換して被切断材１０上に鋸刃５の延長線上に位置するマーカーを表示する機能も持つものであれば良く、例えば線状もしくは点状の切欠きや穴を有する部材であっても良い。
【００３５】
更に、上記した照明装置２を鋸刃５の回転軸方向に直行する方向に移動可能な構成とすることにより、ライト２ａの光源を変換手段により変換した線状もしくは点状のマーカーを鋸刃５の何れかの側面に任意に設定することができるようになる。なお、上記ベース６に設けられるガイドピース５を鋸刃５の側面に直行する方向に移動可能な構成とすることも可能である。
【００３６】
次に図９及び図１０を用いて本発明電動切断機の実施形態を説明する。
【００３７】
図に示す実施形態は、照明装置２の光源を変換して被切断材１０上に影からなる線１３を表示するようにした構成である。
【００３８】
図１１の従来の携帯用電気丸鋸に示されるようにベース６の切断方向前方にはガイドピース９が取付け可能な構成となっているが、このべース６のガイドピース９取付け部分に照明装置２の光源を変換して被切断材１０上に影からなる線１３を表示するようにした変換部材７を着脱可能に設けた構成をしたものである。
【００３９】
変換部材７には図に示すようにベース６上方に突出する突起部７ａが設けられており、この突起部７ａは鋸刃５の延長線上に位置するようになっている。
【００４０】
このような構成とすることにより照明装置２を駆動させると、照明装置２の光源がベース６の切断方向前方側に位置する変換部材７の突起部７ａを照射し、被切断材１０上の鋸刃５の延長線上には突起部７ａの影が線１３となって表示されるようになる。
【００４１】
これにより、照明の設置されていない屋内や日没後の作業場等の暗所での切断作業時における作業性を向上させることができると共に同時に切断作業を案内することが可能となる。
【００４２】
なお、変換部材７は通常のガイドピース９と同様に鋸刃５の回転軸方向に延びる長穴９ｂを有する構成をしており、ベース６にネジ嵌合されたボルト８によって固定されており、ボルト８を緩めることによりベース６上で鋸刃５の回転軸方向に摺動することが可能となっている。変換手段７を鋸刃５の回転軸方向に摺動することにより、被切断材１０上に表示する影からなる線１３を鋸刃５の任意の側面側に合わせることが可能となる。また、本体１に対してベース６を回動させベース６の底面に対する鋸刃５の角度を傾斜させる、いわゆる傾斜切りの際には、傾斜角度によってベース６底面から鋸刃５が突出する位置がベース６の側面に直交する方向に移動することになるが、上記したように変換部材７を鋸刃５の回転軸方向に摺動することにより、被切断材１０上に影からなる線１３を鋸刃５の切断個所に適当な位置に表示させることが可能となる。なお、利用頻度の高い傾斜角度、例えば４５°での切断の際に変換部材７の適当な摺動位置を表示する目印等を変換部材７及びベース６にそれぞれ設けた構成とすることが望ましい。なお、照明装置２は図に示すように、中心位置が図１〜図７に示した実施形態と同様に鋸刃５の延長線上と一致するように設けられている。
【００４３】
なお、上記した実施形態では電動切断機として携帯用電気丸鋸を用いて説明したが、例えばジグソー、卓上丸鋸等であっても採用が可能であり、同様の作用効果を奏し得ることができる。
【図面の簡単な説明】
【００４４】
【図１】本発明電動切断機の一実施形態を示す正面図。
【図２】本発明電動切断機の一動作状態を示す図１の平面図。
【図３】本発明電動切断機の他の動作状態を示す正面要部拡大図。
【図４】図１のＡ部拡大断面図。
【図５】図４のＢ−Ｂ線断面図。
【図６】本発明電動切断機の他の実施形態を示す要部拡大正面図。
【図７】本発明電動切断機の他の実施形態を示す要部拡大正面図。
【図８】本発明電動切断機の他の実施形態を示す説明図。
【図９】本発明電動切断機の他の実施形態を示す要部拡大正面図。
【図１０】図９の電動切断機を示す平面図。
【図１１】従来の電動切断機の一例を示す平面図。
【図１２】従来の電動切断機の切断作業状況を示す要部拡大図。
【図１３】従来の電動切断機の切断作業状況を示す要部拡大図。
【符号の説明】
【００４５】
１は本体、１ａはソーカバー、２は照明装置、２ａはライト、２ｂは係止部、３は円筒面レンズ、４はスリット部材、４ａはスリット、４ｂは脚部、４ｃは係止部、５は鋸刃、６はベース、７は変換部材、７ａは突起部、１０は被切断材、１１は線、１２は点、１３は影からなる線である。
【図１】
2004284013.tif 000003
【図２】
2004284013.tif 000004
【図３】
2004284013.tif 000005
【図４】
2004284013.tif 000006
【図５】
2004284013.tif 000007
【図６】
2004284013.tif 000008
【図７】
2004284013.tif 000009
【図８】
2004284013.tif 000010
【図９】
2004284013.tif 000011
【図１０】
2004284013.tif 000012
【図１１】
2004284013.tif 000013
【図１２】
2004284013.tif 000014
【図１３】
2004284013.tif 000015